(57)【特許請求の範囲】
【請求項１】
扱室（２）の下方で送風ファン（４）と排塵ファン（５）によって形成される選別風路（Ｆ）中に、一番選別体（６３）で形成される一番選別路（６Ｆ）中にチャフシーブ（６２）及び濾過体（８）を設けた揺動選別体（６）を前後方向に揺動運動可能に支架し、上記一番選別体（６３）の後方に二番選別路（６Ｎ）を形成する二番選別体（６５）を設けた脱穀機において、
前記二番選別体（６５）を、前記一番選別路（６Ｆ）から投擲される脱穀物の二番選別体（６５）への投擲部位に前下り緩傾斜して設置される広巾平板状の斜板選別体（６ｂ）と、該斜板選別体（６ｂ）の下方で二番物を二番樋（７ｄ）に流下案内する急傾斜の流下面（６５ｃ）とで構成し、
前記投擲させる脱穀物を、前下り緩傾斜の斜板選別体（６ｂ）上で、穀粒と藁屑類の投擲反発力の差異および選別風によって選別し、穀粒を前側の二番選別路（６Ｎ）に回収移行させる一方、藁屑類を後側の排塵ファン（５）に排出移送させるようにした脱穀物の選別構造。
【請求項２】
二番選別体（６５）の斜板選別体（６ｂ）の前部を、一番選別体（６３）の後部より低い位置に設ける請求項１記載の脱穀物の選別構造。
【請求項３】
二番選別体（６５）の斜板選別体（６ｂ）を、揺動運動可能に設ける請求項１又は２記載の脱穀物の選別構造。
【発明の詳細な説明】
【０００１】
【発明の属する技術分野】
本発明は、稲，麦或いは大豆等の脱穀物を選別する選別構造に関する。
【０００２】
【従来の技術】
従来、稲，麦等を脱穀選別する脱穀機は、扱室及び処理室の下方に形成される選別風路中に、脱穀物を揺動風選別する揺動選別体を揺動運動可能に支架している。
上記揺動選別体は、脱穀物を移送選別する移送板及びチャフシーブと、該チャフシーブの下方に張設され一番物を選別濾過する濾過体と、その後方に斜設されて一番選別路を形成する一番選別体（一番流板）と、該一番選別体の後方に斜設されて二番選別路を形成する二番選別体（二番流板）等から構成し、上記揺動選別体の一番選別体は、その後端を鉛直方向に立ち上がらせて前方に設置される濾過体の終端高さと略同高さにした起立選別板に形成し、二番選別体はその後端を、一番選別体の背後から二番選別体側に向けて延設したストローラックの後端に向けて鉛直方向に立ち上がらせた起立選別板に形成し、一番物と二番物を一番選別路側と二番選別路側に個別に回収選別させるようにしている。
【０００３】
【発明が解決しようとする課題】
然し、上記従来のような構成の脱穀機は、濾過体で選別物中の穀粒を濾過したのちの穀粒や穂切れ等が藁屑類に混在した選別物を、一番選別路中で濾過体の終端と一番選別体の後端に形成した風選別間隙から後方上方に向けて吹き上げる選別風によって風選投擲し、この選別物の風選投擲部位に位置する一番選別体の起立選別板及び二番選別体の各起立選別板で、それぞれ一番物並びに二番物の回収選別を行うので、脱穀負荷の変動等によって選別風が弱められたり、藁屑類を大量に含む脱穀物が送給されたり、或いは脱穀物の送給量が少ないような場合には、上記風選別間隙を通過する選別風に変化が生じ、選別物を適正な位置に風選投擲することができず、上記各起立選別板による選別物中の穀粒と藁屑類との選別が困難になって、一番物中に藁屑類の混入を多発し易くなると共に、藁屑類と共に穀粒等も二番選別体側に吹き飛ばされて二番還元量が多くなり、二番物の還元選別負荷が大きくなって穀粒の損傷を多発させると共に、脱穀作業を能率よく行うことができない等の問題がある。
【０００５】
【課題を解決するための手段】
上記従来の問題点を解決するために本発明の脱穀物の選別構造は、第１に、扱室２の下方で送風ファン４と排塵ファン５によって形成される選別風路Ｆ中に、一番選別体６３で形成される一番選別路６Ｆ中にチャフシーブ６２及び濾過体８を設けた揺動選別体６を前後方向に揺動運動可能に支架し、上記一番選別体６３の後方に二番選別路６Ｎを形成する二番選別体６５を設けた脱穀機において、前記二番選別体６５を、前記一番選別路６Ｆから投擲される脱穀物の二番選別体６５への投擲部位に前下り緩傾斜して設置される広巾平板状の斜板選別体６ｂと、該斜板選別体６ｂの下方で二番物を二番樋７ｄに流下案内する急傾斜の流下面６５ｃとで構成し、前記投擲させる脱穀物を、前下り緩傾斜の斜板選別体６ｂ上で、穀粒と藁屑類の投擲反発力の差異および選別風によって選別し、穀粒を前側の二番選別路６Ｎに回収移行させる一方、藁屑類を後側の排塵ファン５に排出移送させるようにしたことを特徴としている。
【０００６】
第２に、二番選別体６５の斜板選別体６ｂの前部を、一番選別体６３の後部より低い位置に設けることを特徴としている。
【０００７】
第３に、二番選別体６５の斜板選別体６ｂを、揺動運動可能に設けることを特徴としている。
【０００８】
【発明の実施の形態】
本発明の一実施形態を図面に基づいて説明する。図１においてＡはコンバイン等の収穫機に搭載可能な脱穀機であり、該脱穀機Ａはその機体１に構成される扱室２に沿ってフィードチェン３を前後方向に張設すると共に、終端部に排藁搬送帯３ａを連設し、刈取り穀稈を扱室２に供給して脱穀処理したのち、処理済の排稈を機体１の後部に設置した排稈処理装置（カッター）Ｃに搬送し、切断等の後処理を行うようにしている。
【０００９】
そして上記脱穀機Ａは、扱室２を構成する扱胴２ａ及び扱網２ｂの終端穂先側に、処理胴２０及び処理網２１を内装する処理室２ｃを連接し、これらの下方で機体１の前後に設置した送風ファン４と排塵ファン５によって形成される選別風路Ｆ中に、一番選別路６Ｆ及び二番選別路６Ｎを備えた揺動選別体６を前後方向に揺動可能に支架すると共に、揺動選別体６の一番選別路６Ｆの下方に一番物を揚穀筒７ａを介して穀粒タンク７ｂに収容する一番樋７、及び二番選別路６Ｎの下方に二番物を還元筒７ｃを介して揺動選別体６に還元する二番樋７ｄを配置した構成にしている。
【００１０】
また、機体１の後部に設置される排塵ファン５は、ファンケース５１内にドラム状の横断流ファン５２を内装した状態で、脱穀機Ａの両側機壁間の後部に開設した開口部の後壁を兼ねるように設置しており、ファンケース５１の一側を縦軸中心に開閉可能に支持していると共に、上記排稈処理装置Ｃも一側の縦軸（不図示）を中心に側方に開動可能に取り付け、上記揺動選別体６の取り外し及び組付け作業を行う際に、排稈処理装置Ｃと排塵ファン５とを互いに観音開き状となるように開動させて、機体１の後部を障害物のない状態に広く開放し、開放された開口部から揺動選別体６の取り外し及び組付け作業、並びに脱穀機Ａ内の清掃点検等のメンテナンス作業等を容易に行うことを可能にしている。
【００１１】
また、上記揺動選別体６は、その前後部を従来のものと同様な構成を以て、支持リンク１０ａと駆動機構１０とにより揺動運動駆動及び着脱可能に支持し、且つ機体１の後方からその支持状態を解除可能に構成すると共に、解除された状態の揺動選別体６を、図示しない左右両機壁の内側に突設したガイドレール上にスライド可能に載置させて、その挿脱作業を簡単に行うことができるようにしている。
尚、９，９ａは可撓性を有する流下案内板であり、それぞれ一番選別路６Ｆの一番選別体６３及び二番選別路６Ｎの二番選別体６５の裏側下面に一体的に取付固定し、自由端に形成した下部を一番樋７と二番樋７ｄ上に各別に臨設させている。
【００１２】
そして、上記揺動選別体６は、左右の側壁６ａ間に前方から波型移送面を形成した比重選別用の移送板６１及びスノコ板状体を粗間隔で列設し篩い移送選別をするチャフシーブ６２を連設し、該チャフシーブ６２の下方に穀粒濾過選別用のクリンプ網等からなる濾過体８を張設し、チャフシーブ６２及び濾過体８は一番選別路６Ｆ内で藁屑類の浮遊移動を可能とする風選空間を有して上下段に配置している。
また揺動選別体６は、チャフシーブ６２及び濾過体８の後方で一番選別路６Ｆを形成する後述する構成からなる一番選別体６３、及び該一番選別体６３の後方で二番選別路６Ｎを形成する二番選別体６５を設け、両者はそれぞれ後述する斜板選別体６ｂを備えている。
上記一番選別体６３は、濾過体８の後端部を接合位置させており、濾過体８から濾過した一番物を一番樋７に流下案内させると共に、チャフシーブ６２から移送される脱穀物を揺動風選別をさせながら、一番物選別後の脱穀物（選別物）を選別風によって後方の二番選別体６５側に向けて風選させながら投擲させる。
【００１３】
また二番選別体６５は、前方の上記一番選別路６Ｆ側から投擲される脱穀物の投擲部位に、広巾平板状の斜板選別体６ｂを前下り傾斜させて設置し、該斜板選別体６ｂ上での穀粒と藁屑類の投擲反発力の差異によって、穀粒を前側に選別移行させると共に、藁屑類を後方に排出移送させて選別を行わせることにより、二番物を二番樋７ｄに流下させ回収すると共に、排塵物を前記排塵ファン５側に排出移行するようにしている。
【００１４】
また、前記処理室２ｃは、その始端部側を在来のものと同様に扱室２の終端部で奥側（穂先側）に連通させ、その処理胴２０を機体１の後壁１ｄに近接する位置まで延長軸架し、該処理胴２０の外周下方に始端側から設けた処理網２１を設けると共に、該処理網２１の終端側に排塵口２２を開口形成している。
そして、この排塵口２２は前記二番選別体６５の後端部上方と、排塵ファン５の排塵風路に臨ませて開口することにより、処理室２ｃから排出される排塵物が二番選別路６Ｎ内に直接的に落下することを防止している。
【００１５】
次に、揺動選別体６の前記一番選別体６３及び二番選別体６５の詳細な構成及び作用等について説明する。
先ず、一番選別体６３は、左右の側壁６ａ間に横設した一枚板状体の上下方向の中途部を滑らかな湾曲状に屈曲させた屈曲選別面６３ａと、その上部に穀粒安息角以下の緩傾斜角で前下り傾斜させた斜板選別面６３ｂを有する斜板選別体６ｂと、屈曲選別面６３ａの下部で穀粒安息角以上の急傾斜角の流下面６３ｃとからなり、側面視で略ヘ字状となるように一連に形成することで、揺動風選別作用並びに二番選別体６５と同様な脱穀物の投擲反発力の差異による選別を良好に行うことができるようにしている。
【００１６】
また、屈曲選別面６３ａの下側で流下面６３ｃの上部、即ち屈曲選別終了位置には前記濾過体８の後端部を取付固定することにより継送部Ｐを形成している。
尚、この継送部Ｐは、一番選別体６３の延長面に形成した斜板選別面６３ｂ及び屈曲選別面６３ａから濾過体８に、選別物中の藁屑類を流下面６３ｃ側への濾過を防止しながら円滑に継送するものである。
また、移送板６１はその後端を前側下方に屈折させて、送風ファン４のファンケース側に延長指向させた仕切板６７を一体的に形成しており、該仕切板６７の下部に前記濾過体８の前端部を取着した構成にしている。
【００１７】
従って、図示例の揺動選別体６は、一番選別路６Ｆを上記仕切板６７と一番選別体６３とによって形成し、選別風を選別移送方向（後方上方）に整流状態で的確に送給させることを可能にしていると共に、一番選別路６Ｆの下方全面に濾過体８を張設し、且つ該濾過体８の上方に所定の風選空間を有してチャフシーブ６２を設置した構成にしたことにより、従来のもののように濾過体８の終端と一番選別体６３とで形成される流下間隙から藁屑類が漏落し、流下面６３ｃを介して一番樋７側に侵入することを的確に防止するようにしている。
８ａは送風ファン４からの選別風を濾過体８の全面に均一に送風案内する整流板であり、濾過体８の前後中途部の下方から送風ファン４側に指向させて斜設している。
【００１８】
また実施形態におけるチャフシーブ６２は、脱穀物が上記のような選別構造で良好に選別されることから、従来のもののように各シーブ板６２ａを回動させて目合いを調節する等の、複雑な構造の濾過量調節機構を備えた濾過量調節型の脱穀機にすることなく、各シーブ板６２ａを標準乃至略最大濾過量程度の目合いに固定した、濾過量一定型のチャフシーブ構造にすることができるものである。
また、一番選別体６３の屈曲選別面６３ａの前位にはチャフシーブ６２終端との間に、複数のシーブ板６２ａを省略した比較的大なる間隙の藁屑類排出風路Ｈを形成し、該藁屑類排出風路Ｈはチャフシーブ６２から濾過した藁屑類や穂切れ等を、図２に示すように濾過体８を通過する選別風で、後方上方に向けて速やかに投擲排出することができるようにしている。
これにより、脱穀作業時に煩雑なチャフシーブ目合い調節操作を省略することができると共に、この部の構成を極めて簡潔にして揺動選別体６の軽量化を図ることができるものである。
【００１９】
一方、一番選別体６３の後方で左右の側壁６ａ間に横設した二番選別体６５は、一枚板状体の上方側中途部を屈曲させて前記一番選別体６３と同様な屈曲選別面６５ａを形成し、その上部に広巾平板状の斜板選別面６５ｂに形成した斜板選別体６ｂを、一番選別路６Ｆから投擲される脱穀物の投擲部位に前下り傾斜させて設置すると共に、屈曲選別面６５ａの下部に二番物を二番樋７ｄに流下案内する急傾斜角の流下面６５ｃを側面視でヘ字状に一連に形成している。
そして、上記斜板選別面６５ｂは、既述したように処理室２ｃの排塵口２２の下方に位置させて後壁１ｄとの間で排塵風路を形成していると共に、一番選別路６Ｆ側から選別風によって投擲される選別物の落下点、即ち風選投擲部位に前下り傾斜状に交差させており、その前下り傾斜の斜板選別面６５ｂで、以下に詳述する本発明の選別方法によって、二番物を流下面６５ｃを介して回収し藁屑類を排出させるようにしている。
【００２０】
また上記斜板選別面６５ｂは、排塵口２２の前部側から排出される穀粒を含む排塵物を受け止めて揺動風選別すると共に、排塵口２２の終端部から排出される穀粒を含まない排塵物は斜板選別面６５ｂで受け止めることなく、排塵ファン５側に速やかに移行させて、上記二番物選別後の藁屑類と共に機外排出を良好に行うことができるようにしている。
そして、斜板選別体６ｂはその斜板選別面６５ｂで、穀粒と藁屑類の投擲反発力の差異によって、穀粒を前側に選別移行させると共に、藁屑類を後方に排出移送させて選別を行わせることができるようにし、この斜板選別体６ｂはその前下りの前部を、一番選別体６３の後部より低い位置に設け、且つ穀粒の安息角以下に斜設させるようにしている。
【００２１】
以上のように構成した脱穀機Ａは、穀稈を扱室２及び処理室２ｃで脱穀処理すると、脱穀物のうち穀粒や小さな藁屑類等は扱網２ｂ，処理網２１等で網選別し漏下させると共に、揺動選別体６はこれを受けて揺動運動及び選別風による揺動風選別作用を行い、一番物を一番選別路６Ｆによる風選別と濾過体８による網選別を経させて、一番選別体６３から一番樋７及び揚穀筒７ａを介し穀粒タンク７ｂに収容する。
【００２２】
そして、切藁等の長い藁屑類やこれに混在している穀粒や穂切れ等の選別物は、チャフシーブ６２及び一番選別体６３の屈曲選別面６３ａ及び斜板選別面６３ｂを介して選別しながら二番選別路６Ｎ側に向けて投擲移送し、二番選別体６５による選別を行い、二番物を二番選別体６５から二番樋７ｄ及び還元筒７ｃを介し揺動選別体６の移送板６１に還元して再選別を行う。
また、揺動選別体６側から送られる選別済の排塵物や、処理室２ｃの排塵口２５から排出される排塵物は、送風ファン４及び排塵ファン５で形成される選別風と排塵ファン５による吸風によって、後壁１ｄ及びファンケース５１の後壁に沿って誘導され、排塵ファン５で機外に向けて速やかに吸引排出される。
【００２３】
以上のような脱穀選別を行うにあたり、前後方向に略楕円状の軌跡を以て揺動運動を行う一番選別体６３は、その中途部に継送部Ｐを介して濾過体８を設けると共に、その後端を該濾過体８の継送部Ｐ位置より後方上方において、濾過体８の上方に設置しているチャフシーブ６２と略同高さ又はそれよりやや高い位置に長く延設しているので、その延長面でチャフシーブ６２及び処理網２１から送給される選別物と、濾過体８上で風選別されて移送される選別物等を共に合流させて、上記延長面で選別物を団塊状にすることなく充分な滞留時間をかけてほぐしながら揺動風選別を行うところの、一番選別体６３による滞留選別を良好に行うことができるものである。
【００２４】
また上記斜板選別面６３ｂでは、選別風によって濾過体８及びチャフシーブ６２側から投擲される脱穀物も、後述する二番選別体６５による選別方法と同様に選別物の投擲反発力を利用した選別方法を受けるので、濾過体８を濾過しないで後方に投擲されようとする穀粒の再選別を良好に行わせることができると共に、この間に穀粒の流下を促し速やかな回収を促進させることができる。
従って、穀粒の混入を少なくした状態の選別物を二番選別体６５側に適切に投擲移行することができるものであり、これにより二番選別体６５側に選別物を団塊状にしたまま大量に移送することがないから、二番選別体６５における選別負荷を過大にすることなく、藁屑類の混入を低減させた二番物の回収還元を良好に行わせることができるものである。
【００２５】
またこの際、一番選別体６３の延長面はチャフシーブ６２の終端とシーブ板６２ａを設置しない充分な広さの藁屑類排出風路Ｈを有して形成したことにより、一番選別路６Ｆ中において、濾過体８の上方で風選空間を有して設置されたチャフシーブ６２は、該風選空間で風選別され後方上方に向けて排出されようとする、藁屑類中に穀粒や穂切れ等を含む選別物の排出を阻害することなく、上記藁屑類排出風路Ｈを介して速やかに後方の斜板選別面６３ｂ側に排出移送する。
従って、上記選別空間内での藁屑類の停滞に伴う濾過体８の目詰まりや屑類の濾過を防止した状態で、穀粒の濾過を精度よく行うことができると共に、上記一番選別体６３の延長面で形成される斜板選別面６３ｂから滑落する穀粒等を、藁屑類排出風路Ｈの詰まり等を防止しながら濾過体８側に円滑に移行させて的確に濾過し、一番物中の屑類（短い切藁等）の混入を防止してその回収を良好に行うことができるものである。
【００２６】
また、チャフシーブ６２は、脱穀物が上記のような選別構造で良好に選別されることから、従来のもののように各シーブ板６２ａを回動させて目合いを調節する等の、複雑な構造の濾過量調節機構を備えた揺動選別体にすることなく、各シーブ板６２ａの目合いを固定状態にした濾過量一定型のチャフシーブ構造にすることができるるから、大量穀桿並びに少量穀桿の脱穀時や濡材穀桿の脱穀時毎に、煩雑なチャフシーブ目合い調節操作を省略することができると共に、チャフシーブ６２の構成を極めて簡潔にして揺動選別体６の軽量化を図ることができると共に、高能率で廉価型の脱穀機Ａを提供することができる等の利点がある。
【００２７】
次に、二番選別体６５における選別方法について説明する。この二番選別体６５は、一番選別体６３の斜板選別面６３ｂの後端より低くなるように位置させた屈曲選別面６５ａを介して、その上下に穀粒の安息角以下で前下りの緩傾斜にした斜板選別面６５ｂと、急傾斜の流下面６５ｃとを一体的に形成しているので、一番選別路６Ｆから選別風によって投擲される選別物を、排塵ファン５側に直接的に排出移送することなく、上記斜板選別面６５ｂで一旦受けて、ここで穀粒と藁屑類の投擲反発力の差異によって選別物を選別する選別方法によって、二番物を二番選別路６Ｎ側に回収移行させると共に、藁屑類を後方に排出移送させて排塵ファン５から機外へ的確に排出させるものである。
【００２８】
即ち、上記の選別方法は、脱穀物を選別風によって後方上方に向けて投擲して風選する選別風路Ｆ中に、該選別風による脱穀物の風選投擲部位に、広巾平板状体の斜板選別面６５ｂを穀粒の安息角以下で前下り傾斜させて設け、脱穀物中の穀粒と藁屑類を斜板選別面６５ｂ上での投擲反発力の差異によって、穀粒を前側に回収移行させると共に藁屑類を後方に選別移送させて選別するようにしたことにより、図３に示すように一番選別路６Ｆ並びに一番選別体６３の後端から略放物線軌跡を以て投擲される穀粒は、比重及び硬さが藁屑類に対して大きく且つ表面積が小粒で小さいため斜板選別面６５ｂの風選投擲部位に確実に落下すると共に、慣性を伴う穀粒の反発係数が大きくその投擲反発力によって、同図の点線で示すように斜板選別面６５ｂ上で一旦は上方やや後方に向けて大きく跳ね上がるが、前下りの傾斜面によって跳ね上がりを順次減衰しながら前側に的確に移行することができ、屈曲選別面６５ａ及び流下面６５ｃを介し二番樋７ｄに良好に回収されるものである。
尚、このとき斜板選別体６ｂの直上の選別風は上方よりも弱風であること、及び穀粒の表面積は小さいので、穀粒はこの選別風によって前方移動を妨げられることはないものである。
【００２９】
また図４に示すように藁屑類も穀粒と同様に一番選別路６Ｆから投擲されるが、このうち軽い藁屑や横向きになった長藁等は、斜板選別面６３ｂ及び斜板選別面６５ｂから離間した上方で、機壁側に沿って迂回しながら強風状態で流れる選別風を大きく受けることによって、斜板選別面６５ｂに落下することなく、これを越えて排塵ファン５から直接的に排出されるものであり、また縦向きになって投擲される藁屑類中の長藁（切れ藁）は上記選別風によって大きく吹き飛ばされることなく、斜板選別面６５ｂに投擲落下するが、このような長藁は穀粒に比較して投擲反発力が小さいことから大きく跳ね上がることなく、該斜板選別面６５ｂ上で一旦小さく反発して浮き上がった状態の浮き上がり姿勢となりながら、投擲慣性力を付与されたままその大きな表面積で選別風を受けて、斜板選別面６５ｂ上を滑走するように後方に排出移行するので、排塵ファン５による機外排出をを良好に行われるものである。
【００３０】
そして、上記のような選別物の選別方法を行うとき、図示例のように斜板選別面６５ｂを前後方向に揺動運動させるようにしたものにあっては、揺動運動によって穀粒を前側に向けて強制的に撥ね上げ移行させることができるので、二番物の回収を一層速やかに行うことができる等の利点がある。
また前下り傾斜の広巾な斜板選別体６ｂの斜板選別面６５ｂは、藁屑類中に混入した状態の穀粒や穂切れ等を滞留させながら揺動運動によって良好にほぐし作用を付与するので、穀粒並びに穂切れ等と藁屑類の分離を的確に行いながら滞留選別を促進でき、藁屑類の混入を低減させた二番物の回収を良好に行うことができる等の利点がある。
尚、上記のような選別方法は、既述の一番選別体６３に設けた斜板選別体６ｂの斜板選別面６３ｂにおいても同様に行われるものである。
【００３１】
従って、本発明による脱穀物の選別方法及び選別構造を備えた脱穀機Ａは、二番物中に藁屑類の混入を少なくすることができるから、二番樋７ｄから還元筒７ｃを介して移送板６１に還元される二番物の還元量を少なくすることができるので、移送板６１による比重選別に過負荷をかけて選別を阻害することなく、また二番物が繰り返して還元されることによる穀粒の損傷や、還元経路における詰まり等のトラブルを防止し、精度のよい選別を脱穀負荷を低減しながら円滑に行うことができる等の利点がある。
【００３２】
また図示例においては、二番選別体６５は屈曲選別面６５ａを介して斜板選別面６５ｂと流下面６５ｃとを一体的に形成したものを示したが、これに限ることなく図２の点線で示すように、斜板選別面６５ｂと流下面６５ｃとを分割した構成にしてもよいものである。
即ち、斜板選別体６ｂとしての斜板選別面６５ｂ側は揺動選別体６に一体的に設けると共に、流下面６５ｃを該斜板選別面６５ｂの下方から急傾斜角を有して機体１側に固定した構成にしてもよく、この場合には、上記流下面６５ｃを設けるための側壁６を縮小することができるので、この分だけ揺動選別体６の構造を簡潔で小型化し軽量化を図ることができる等の利点がある。
尚、上記斜板選別体６ｂを揺動選別体６とは別体にして機体１側に固定する場合には、該斜板選別体６ｂは穀粒を投擲反発力によって前方に回収移行させるに必要な傾斜角を付与して設置すればよいものである。
【００３３】
また、濾過体８は図２に示すように、その終端を一番選別体６３の流下面６３ｃに接当支持させた構成のものを示したが、これに限ることなく濾過体８はその終端を流下面６３ｃに支持させることなく近接張設させた継送部Ｐにして、その上方に案内板６３ｄを同図の点線で示すように設け、延長面から流下する選別物を濾過体８側に誘導するように、一番選別体６３と濾過体８を連設させた構成にしてもよく、また従来のものと同様に、濾過体８の後端と一番選別体６３との間に間隙を有したものであってもよいものである。
また、図示例のチャフシーブ６２はシーブ板６２ａを固定構造にしたが、これに限定されるものではない。
【００３４】
さらに、同図で示すように二番選別路６Ｎは、その下部に外気を導入する送風孔７ｆを穿設することにより、該二番選別路６Ｎ中に選別風に吸引されて下方から上方に指向する選別風を形成し、この選別風によって小さな藁屑類や塵埃等を機外排出させるようにしているが、この部に補助送風ファンを設けて上記選別風を強制的に送風させてもよいものであると共に、二番選別路６Ｎの上部には、例えば前記一番選別体６３の背面上部から図２の点線で示すようにストローラック６ｃを突設してもよいものである。
【００３６】
【発明の効果】
本発明は以上説明したような脱穀物の選別構造にしたことにより、以下のような効果を奏することができる。
扱室の下方で選別風路中に、一番選別体で形成される一番選別路にチャフシーブ及び濾過体を設けた揺動選別体を前後方向に揺動運動可能に支架し、上記一番選別体の後方に二番選別体を設けると共に、一番選別路から投擲される脱穀物の二番選別体への投擲部位に、広巾平板状の斜板選別体を前下り緩傾斜させて設置し、該斜板選別体上での穀粒と藁屑類の投擲反発力の差異および選別風によって、穀粒を前側に選別移行させる一方、藁屑類を後方に排出移送させて選別を行わせる脱穀物の選別構造にしたことにより、一番選別路から選別風によって投擲される選別物を、上記斜板選別体で受けて穀粒と藁屑類の投擲反発力の差異および選別風によって、二番物を二番選別路側に回収移行させる一方、藁屑類を後方に排出移送させて機外へ的確に排出させるから、二番物中に藁屑類の混入を少なくすることができると共に、二番物の還元量を少なくすることができるので、穀粒の損傷や還元経路における詰まり等のトラブルを防止した精度のよい選別を円滑に行うことができる等の利点がある。
【００３７】
また、上記二番選別体の斜板選別体の前部を、一番選別体の後部より低い位置に設けることにより、一番選別路から投擲される選別物を斜板選別体上で的確に受けることができて穀粒と藁屑類の選別を良好に行うことができる。
【００３８】
さらに、二番選別体の斜板選別体を揺動運動させることにより、藁屑類中に混入した状態の穀粒や穂切れ等を斜板選別体上で滞留させながら、揺動運動によって良好にほぐし作用を付与するので、穀粒並びに穂切れ等と藁屑類の分離を的確に行い、藁屑類の混入を低減させた二番物の回収を良好に行うことができる。
【図面の簡単な説明】
【図１】本発明に係わる選別構造を備えた脱穀機の断面図。
【図２】図１の揺動選別体の要部の構成を示す断面図。
【図３】二番選別体の斜板選別体による穀粒の選別作用を示す作用図。
【図４】二番選別体の斜板選別体による藁屑類の選別作用を示す作用図。
【符号の説明】
１    機体
２    扱室
２ｃ  処理室
４    送風ファン
５    排塵ファン
６    揺動選別体
６ｂ  斜板選別体
６Ｆ  一番選別路
６Ｎ  二番選別路
７    一番樋
７ｄ  二番樋
８    濾過体
６１    移送板
６２    チャフシーブ
６３    一番選別体
６５    二番選別体
６５ａ  屈曲選別面
６５ｂ  斜板選別面
６５ｃ  流下面
Ａ    脱穀機
Ｆ    選別風路
【図１】
0003763713.tif 000002
【図２】
0003763713.tif 000003
【図３】
0003763713.tif 000004
【図４】
0003763713.tif 000005